(57)【要約】【課題】  記録媒体に記録される広告情報を更新することにより、ユーザの関心を引きつける宣伝効果の高い広告情報を常に視聴可能である、記録媒体再生装置、広告情報の視聴システム及びその方法を提供する。【解決手段】  ＤＶＤ１０にはコンテンツ本編の映像・音声情報に加えて、ＣＭ情報サーバ５のＵＲＬ情報が記録されている。ＤＶＤ１０を扱うＤＶＤプレーヤ１には、ＣＭ情報を格納するＣＭ用メモリ１２と、コンテンツ本編及びＣＭ情報を再生するための情報再生部１５と、情報再生部１５によるコンテンツ本編の再生開始に際してＣＭ情報サーバ５から配信されるＣＭ情報を取得するように通信部１３を制御するＣＭ情報取得部１４が設けられている。【選択図】  図１
2007035101.tif 000002
【特許請求の範囲】
【請求項１】
映像・音声情報及びインターネット上のアドレス情報が記録された記録媒体を取り扱う記録媒体再生装置であって、インターネットに接続するための通信手段と、前記映像・音声情報を再生する主再生手段を有する記録媒体再生装置において、
前記主再生手段により前記映像・音声情報の再生を開始するとき前記アドレス情報に基づいてインターネット上のサーバにアクセスしそこから配信される広告情報を取得するように前記通信手段を制御する広告情報取得手段と、
前記広告情報取得手段にて取得した前記広告情報を格納する広告情報格納手段と、
前記広告情報格納手段から前記広告情報を呼び出して再生する広告情報再生手段を備えたことを特徴とする記録媒体再生装置。
【請求項２】
前記アドレス情報は、前記広告情報の提供元の識別情報であることを特徴とする請求項１に記載の記録媒体再生装置。
【請求項３】
前記広告情報再生手段は、前記主再生手段による前記映像・音声情報の再生を中断するとき、前記広告情報を再生するように構成したことを特徴とする請求項１又は２に記載の記録媒体再生装置。
【請求項４】
前記映像・音声情報を前記記録媒体に書き込むための書き込み制御手段を備え、
前記広告情報再生手段は、前記書き込み制御手段による前記記録媒体への前記映像・音声情報の書き込み中に、前記広告情報を再生するように構成したことを特徴とする請求項１〜３のいずれか一項に記載の記録媒体再生装置。
【請求項５】
前記広告情報取得手段は、前記主再生手段による前記映像・音声情報の再生中に前記広告情報を取得するように構成したことを特徴とする請求項１〜４のいずれか一項に記載の記録媒体再生装置。
【請求項６】
前記映像・音声情報を前記記録媒体に書き込むための書き込み制御手段を備え、
前記広告情報取得手段は、前記書き込み制御手段による前記記録媒体への前記映像・音声情報の書き込み中に、前記広告情報を取得するように構成したことを特徴とする請求項１〜５のいずれか一項に記載の記録媒体再生装置。
【請求項７】
放送局から配信される放送情報及びインターネット上のアドレス情報を受信する受信手段と、
前記放送情報及びインターネット上のアドレス情報を前記記録媒体に書き込むための書き込み制御手段を備えたことを特徴とする請求項１〜６のいずれか一項に記載の記録媒体再生装置。
【請求項８】
前記広告情報再生手段は、前記再生手段により前記映像・音声情報の再生が終了した時点で、前記広告情報格納手段に格納した前記広告情報のうち、未再生である残存広告情報を再生するように構成したことを特徴とする請求項１〜７のいずれか一項に記載の記録媒体再生装置。
【請求項９】
記録媒体再生装置を用いた広告情報の視聴システムであって、請求項１〜８のいずれか一項に記載の前記記録媒体再生装置と、広告情報を配信するインターネット上の広告情報配信用サーバからなることを特徴とする広告情報の視聴システム。
【請求項１０】
前記広告情報の視聴状況を検知する視聴状況検知手段と、
前記視聴状況検知手段による検知の度合いに応じて広告情報の視聴ポイントを計上する視聴ポイント計上手段と、
前記視聴ポイント計上手段の計上した前記視聴ポイントを前記広告情報の提供元に通知する通知手段を備えたことを特徴とする請求項９に記載の広告情報の視聴システム。
【請求項１１】
請求項９又は１０に記載の前記記録媒体再生装置及び前記広告情報配信用サーバを利用した広告情報の視聴方法において、
前記記録媒体再生装置では、
インターネットに接続するための通信ステップと、
前記映像・音声情報を再生する主再生ステップと、
前記主再生ステップにて前記映像・音声情報の再生を開始するとき前記アドレス情報に基づいてインターネット上のサーバにアクセスしそこから配信される広告情報を取得する広告情報取得ステップと、
前記広告情報取得ステップにて取得した前記広告情報を格納する広告情報格納ステップと、
前記広告情報格納ステップにて格納した前記広告情報を呼び出して再生する広告情報再生ステップを行い、
前記広告情報配信用サーバでは、
広告情報を配信する広告情報配信ステップを行うことを特徴とする広告情報の視聴方法。
【発明の詳細な説明】
【技術分野】
【０００１】
本発明は、インターネットを通じて取得しておいた広告情報を再生することで、常に宣伝効果の高い広告情報を視聴可能な記録媒体再生装置及び広告情報の視聴技術に関するものである。
【背景技術】
【０００２】
ＤＶＤには、映像情報がＭＰＥＧ２を使って圧縮記録され、音声情報がＡＣ３やＭＰＥＧ２オーディオを使って圧縮記録されている。そのため、ＤＶＤに記録された映像・音声情報は、高画質・高音質であり、且つ長時間にわたって再生可能である。また、ＤＶＤには再生専用型だけではなく、追記または書換が可能な記録型があり、これを取り扱うＤＶＤプレーヤとして、家庭用、オフィス用、車載用、携帯用など種々の分野で急速に普及している。さらには、ＤＶＤは安価で信頼性が高いのでデータ保存やアーカイブにも適しているので、ハードディスクと組み合わせたＤＶＤレコーダも知られている。
【０００３】
ところで、ＤＶＤプレーヤで複数のユーザが一緒に映像や音声を視聴している時に、そのうちの誰かが何らかの用事で席を立つことがある。この場合、ＤＶＤ再生を一旦、一時停止とし、その人が戻ってきた後に一時停止を解除して、続きを視聴するのが一般的である。一時停止からその解除までの間の再生中断時間は、待たされているユーザにとってみれば長いと感じられ、不満を募らせることが多い。そこで、このような不都合を解消すべく、特許文献１記載の技術が提案されている。
【０００４】
特許文献１に係る記録媒体再生装置において、記録媒体には、コンテンツ本編のビデオデータに加えて、ＣＭ画像を表示するためのＣＭ用ビデオデータ（以下、単にＣＭとする）及びＣＭに対応したインターネット上のアドレス情報が記録されている。この装置では、一時停止ボタンの押し下げ操作を行うことでコンテンツ本編の再生を一時停止すると、ＣＭを再生するようになっている。これにより、ユーザは、見飛ばしがちなＣＭをコンテンツ本編の中断時間を利用して視聴することができる。
【０００５】
ただし、ＣＭを主体的に見ようとするユーザは少ないので、単純にＣＭが流れるだけではユーザの関心を引きつけることは難しい。そこで特許文献１の記録媒体再生装置では、ＣＭに関連したオンラインショッピングや詳細データの取得を容易に行い得るようにしたものである。すなわち、ＣＭの再生状態でユーザがインターネットへの接続指示を入力すると、通信手段が、記憶媒体に記憶されたアドレス情報に基づいてそのアドレス情報に対応したＷｅｂサイトへアクセスし、このＷｅｂサイトからＷｅｂページの表示情報を取得する。
【０００６】
このように表示情報を取得した場合、ＣＭに代わって表示情報に対応したビデオデータを出力する。つまり、ユーザは、何らかの都合でコンテンツ本編の再生が一旦中断された時、見ていたＣＭに対応したＷｅｂページを閲覧して、再生再開を待つ時間をオンラインショッピングやデータ取得に充てることができる。このため、仮に待ち時間が長くなったとしても、待たされたユーザの不満が募ることを回避できる。
【特許文献１】特開２００２−２９８５５３号公報
【発明の開示】
【発明が解決しようとする課題】
【０００７】
しかしながら、上記の従来技術には、次のような重大な問題点があった。すなわち、記録媒体が広告情報を記録している場合、この広告情報は記録媒体に記録された時点から変更が加えられることはない。例えば、映画などが記録されたＤＶＤやＶＨＳには、コンテンツ本編のほかに多数のＣＭを記録しているが、これらの記録媒体は通常、再生専用なので、ＣＭの内容も固定されたものである。また、ＣＭを含むテレビ番組をＤＶＤやＶＨＳに録画する場合も、番組放送時のＣＭをそのまま録画している。
【０００８】
ユーザが記録媒体上のＣＭを視聴するとき、記録媒体の出荷直後あるいは録画直後であれば何の問題もないが、ＣＭを記録した時点から一定の時間が経過していると、ＣＭとしての視聴タイミングとしては、時機を逸したことになる。具体的には、期限付きキャンペーンを含んだＣＭが記録媒体に記録されている場合に、当該記録媒体の視聴時期が遅ければ、前記キャンペーン期限を過ぎていることがある。こうなると、記録媒体に記録されたＣＭは、宣伝としての意味を成さないことになる。
【０００９】
特に、記録媒体がレンタル用だと、レンタル開始直後のいわゆる「新作」ではなく、レンタル開始時から一定の時間が経過した「旧作」になってから、記録媒体を借りて見るユーザも多い。この「旧作」を視聴しているユーザにとって、記録媒体に記録されたＣＭは宣伝効果が低くなりがちであり、記録媒体に記録されたＣＭは無駄になっていた。
【００１０】
上述したように、従来の記録媒体再生技術では、記録媒体上の広告情報が記録時に固定されたものなので、記録媒体に広告情報が記録された時点から時間が経つに連れて、その宣伝効果は薄くなる。これは、広告情報の提供元にとっては深刻な問題であり、宣伝効果の高い広告情報をユーザに持続的に提供する技術が待たれていた。また、ユーザは広告情報に対して嫌悪感を抱いているわけではなく、適切なタイミングで提供される広告情報は消費行動を決定する重要な情報であるという認識を持つユーザは少なくない。すなわち、ユーザの観点からも新鮮な広告情報を見たいという要求があげられていた。
【００１１】
本発明は、このようなニーズに応えて提案されたものであって、記録媒体に記録される広告情報を更新することにより、ユーザの関心を引きつける宣伝効果の高い広告情報を常に視聴可能である、記録媒体再生装置、広告情報の視聴システム及びその方法を提供することを目的としたものである。
【課題を解決するための手段】
【００１２】
上述した目的を達成するために、本発明は、映像・音声情報及びインターネット上のアドレス情報が記録された記録媒体を取り扱う記録媒体再生装置、広告情報の視聴システム及びその方法であって、インターネット上のサーバから配信される広告情報を取得し、これを記録媒体再生装置にて格納・再生することで、広告情報を視聴するようにしたものである。
【００１３】
すなわち、請求項１の発明に係る記録媒体再生装置は、前記主再生手段により前記映像・音声情報の再生を開始するとき前記アドレス情報に基づいてインターネット上のサーバにアクセスしそこから配信される広告情報を取得するように前記通信手段を制御する広告情報取得手段と、前記広告情報取得手段にて取得した前記広告情報を格納する広告情報格納手段と、前記広告情報格納手段から前記広告情報を呼び出して再生する広告情報再生手段を備えたことを特徴としている。
【００１４】
また、請求項９の発明は、記録媒体再生装置を用いた広告情報の視聴システムであって、請求項１〜８のいずれか一項に記載の前記記録媒体再生装置と、広告情報を配信するインターネット上の広告情報配信用サーバからなることを特徴としたものである。
【００１５】
さらに、請求項１１の発明は、上記請求項９の発明を方法の観点から捉えたものであり、前記記録媒体再生装置では、インターネットに接続するための通信ステップと、前記映像・音声情報を再生する主再生ステップと、前記主再生ステップにて前記映像・音声情報の再生を開始するとき前記アドレス情報に基づいてインターネット上のサーバにアクセスしそこから配信される広告情報を取得する広告情報取得ステップと、前記広告情報取得ステップにて取得した前記広告情報を格納する広告情報格納ステップと、前記広告情報格納ステップにて格納した前記広告情報を呼び出して再生する広告情報再生ステップを行い、前記広告情報配信用サーバでは、広告情報を配信する広告情報配信ステップを行うことを特徴としている。
【００１６】
以上のような本発明によれば、広告情報の提供元がインターネット上の広告情報配信用サーバにその時点で宣伝したい広告情報を準備し、サーバ側はこの広告情報を配信する。記録媒体再生装置側では、記録媒体に記録されたアドレス情報に基づいて通信手段が広告情報配信用サーバにアクセスすることで、広告情報取得手段によりこの広告情報を取得する。取得した広告情報は広告情報格納手段が格納し、広告情報再生手段がこれを再生することで広告情報を視聴することができる。
【００１７】
すなわち、本発明では、記録媒体に記録された広告情報を、記録媒体上に固定するのではなく、記録媒体を再生しようとする時点でインターネット上の広告情報配信用サーバから取得している。このため、広告情報配信用サーバが配信する広告情報を更新しているならば、記録媒体側に格納される広告情報は古くならず、記録媒体を視聴する都度、最新の広告情報を取得して再生することが可能である。したがって、同じ記録媒体を再生する場合でも、再生時期が異なれば、広告情報だけは別のものになり、同じ記録媒体を視聴するたびに見飽きた広告情報を何度も見せられるといったことがない。その結果、ユーザにとって広告情報は常に新鮮なものとなり、広告情報の提供側から見て、優れた宣伝効果を期待できる。
【００１８】
請求項２の発明は、請求項１に記載の記録媒体再生装置において、前記アドレス情報は、前記広告情報の提供元の識別情報であることを特徴としている。
この請求項２の発明では、アドレス情報として広告情報の配信元の識別情報を記録媒体に記録しておくだけなので、記録媒体出荷時にデータ量の多い広告情報を予め記録する手間が省けることになり、記録媒体の製造コストが低減するといったメリットがある。
【００１９】
請求項３の発明は、請求項１又は２に記載の記録媒体再生装置において、前記広告情報再生手段は、前記主再生手段による前記映像・音声情報の再生を中断するとき、前記広告情報を再生するように構成したことを特徴としている。
【００２０】
請求項４の発明は、請求項１〜３のいずれか一項に記載の記録媒体再生装置において、前記映像・音声情報を前記記録媒体に書き込むための書き込み制御手段を備え、前記広告情報再生手段は、前記書き込み制御手段による前記記録媒体への前記映像・音声情報の書き込み中に、前記広告情報を再生するように構成したことを特徴としている。
【００２１】
以上のような請求項３又は４の発明では、何らかの都合により映像・音声情報の再生を中断する時、又は、記録手段への映像・音声情報の書き込み時に、広告情報を再生することができる。前述したように本発明で再生される広告情報は、記録媒体を再生しようとする時点で取得しているので、同じ記録媒体を繰り返し見る場合でも広告情報だけは更新されることになる。このため、再生再開までの中断時間や映像・音声情報の書き込み時間が多少長くなったとしても、高い関心をもって広告情報を視聴することで、不満を募らせることがなく、良好な使い勝手を得ることができる。
【００２２】
請求項５の発明は、請求項１〜４のいずれか一項に記載の記録媒体再生装置において、前記広告情報取得手段は、前記主再生手段による前記映像・音声情報の再生中に前記広告情報を取得するように構成したことを特徴としている。
【００２３】
請求項６の発明は、請求項１〜５のいずれか一項に記載の記録媒体再生装置において、前記映像・音声情報を前記記録媒体に書き込むための書き込み制御手段を備え、前記広告情報取得手段は、前記書き込み制御手段による前記記録媒体への前記映像・音声情報の書き込み中に、前記広告情報を取得するように構成したことを特徴としている。
【００２４】
以上の請求項５又は６の発明では、主再生手段による映像・音声情報の再生中、又は、書き込み制御手段による記録手段への映像・音声情報の書き込み中に、広告情報取得手段によって広告情報を取得することにより、広告情報を再生するよりも前に、余裕を持って広告情報を広告情報格納手段に格納しておくことができる。したがって、広告情報のデータ量が大きくても、再生が途中で切れることがなく、スムーズな視聴が可能である。
【００２５】
請求項７の発明は、請求項１〜６のいずれか一項に記載の記録媒体再生装置において、放送局から配信される放送情報及びインターネット上のアドレス情報を受信する受信手段と、前記放送情報及びインターネット上のアドレス情報を前記記録媒体に書き込むための書き込み制御手段を備えたことを特徴としている。
【００２６】
記録媒体に記録されるアドレス情報は、記録媒体に予め記録しておいてもよいが、広告情報を取得する前にユーザ操作により記録媒体に記録するようにしてもかまわない。請求項７の発明では、受信手段にて放送情報及びアドレス情報を受信しておき、書き込み制御手段にて受信した放送情報及びアドレス情報を記録媒体に書き込むことができる。したがって、本発明にて再生される広告情報は、放送情報に含まれる受信時の広告情報に固定されるのではなく、放送情報と共に書き込まれたアドレス情報に基づいて取得される最新のものとなる。このため、宣伝効果の高い広告情報を視聴することが可能である。
【００２７】
請求項８の発明は、請求項１〜７のいずれか一項に記載の記録媒体再生装置において、前記広告情報再生手段は、前記再生手段により前記映像・音声情報の再生が終了した時点で、前記広告情報格納手段に格納した前記広告情報のうち、未再生である残存広告情報を再生するように構成したことを特徴とする。
【００２８】
請求項８の発明では、映像・音声情報の再生終了時には、広告情報再生手段が未再生の残存広告情報を再生することで、広告情報格納手段に格納された広告情報を全て、確実に再生することが可能となる。これにより、取得した広告情報を再生し残すといったことがなく、広告情報の提供側から見て優れた宣伝効果を確保することができる。
【００２９】
請求項１０の発明は、請求項９に記載の広告情報の視聴システムにおいて、前記広告情報の視聴状況を検知する視聴状況検知手段と、前記視聴状況検知手段による検知の度合いに応じて広告情報の視聴ポイントを計上する視聴ポイント計上手段と、前記視聴ポイント計上手段の計上した前記視聴ポイントを前記広告情報の提供元に通知する通知手段を備えたことを特徴とする。
【００３０】
上記の請求項１０の発明によれば、視聴状況検知手段にて広告情報の視聴状況を検知し、その度合いに応じて視聴ポイント計上手段が広告情報の視聴ポイントを計上して、通知手段により前記視聴ポイントを広告情報の提供元に通知する。したがって、広告情報の提供元としては広告情報がユーザにどの程度視聴されているかといった、具体的な視聴状況を正確に把握することが可能になり、広告情報の視聴状況から導かれる実質的な宣伝効果を知ることができる。
【００３１】
また、ユーザにとっては、広告情報の提供元が前記視聴ポイントに応じて何らかのメリットを提供していれば、そのメリットを前記提供元から享受することができる。さらに、前記メリットは広告情報を視聴させる動機となるので、広告情報の視聴効率をいっそう高めることが可能である。
【発明の効果】
【００３２】
以上述べたように、本発明に係る記録媒体再生装置、広告情報の視聴システム及びその方法によれば、記録媒体に記録された映像・音声情報の再生を開始するときにインターネット上のサーバから配信される広告情報を取得し、これを格納・再生することによって、ユーザの関心を引きつける新鮮な広告情報を常に視聴することが可能となり、広告情報が記録媒体上に固定された従来技術に比べて、宣伝効果を大幅に向上させることができる。
【発明を実施するための最良の形態】
【００３３】
〔１．構成〕
続いて、本発明を実施するための最良の形態（以下「実施形態」という）について、図１のブロック図と、図２及び図３のフローチャートを参照して具体的に説明する。
【００３４】
〔１−１．全体構成〕
図１は本実施形態のシステム構成を示すブロック図である。この図１に示すように、本実施形態は、予めコンテンツ本編が記録されたＤＶＤ１０を取り扱うＤＶＤプレーヤ１、ＣＭ情報を配信するＣＭ情報サーバ５、両者を接続するインターネット４、ＤＶＤプレーヤ１に接続されたテレビモニタ１１からなるシステムであって、ＣＭ情報サーバ５から配信されるＣＭ情報をＤＶＤプレーヤ１にて再生し、これをテレビモニタ１１により視聴するシステムである。
【００３５】
〔１−２．ＤＶＤプレーヤ１の構成〕
ＤＶＤプレーヤ１は、ＣＭ情報を格納するＣＭ用メモリ１２、記録媒体であるＤＶＤ１０の駆動部９、ＤＶＤプレーヤ１をインターネット４に接続するための通信部１３、ＣＭ情報サーバ５から配信されるＣＭ情報を取得するように通信部１３を制御するＣＭ情報取得部１４、コンテンツ本編及びＣＭ情報を再生するための情報再生部１５、情報再生部１５にてＣＭ情報が再生されたことを検知するＣＭ情報再生検知部１６、ＣＭ情報の再生による視聴ポイントを計上する視聴ポイント計上部１７、ＤＶＤプレーヤ１の動作状態等を表示する表示部１８、ユーザ操作のための種々の操作ボタンが配された操作部１９から構成される。
【００３６】
ＤＶＤ駆動部９は、光学ピックアップを含む光学系を有しており、ＤＶＤ１０から再生信号を取り出す部分である。ＤＶＤ１０にはコンテンツ本編の映像・音声情報に加えて、ＣＭ情報サーバ５のＵＲＬ情報が記録されている。ＵＲＬ情報は、ＤＶＤ１０をＤＶＤプレーヤ１に装着した際に再生されてＣＭ用メモリ１２に格納される。通信部１３は、前記ＵＲＬ情報に基づいてＣＭ情報サーバ５にアクセスし、ここから配信されるＣＭ情報を受信する受信手段であると同時に、視聴ポイント計上部１７の計上した視聴ポイントをＣＭ情報サーバ５側へと通知する通知手段を兼ねている。
【００３７】
ＣＭ情報取得部１４は、情報再生部１５がＤＶＤ１０のコンテンツ本編の再生を開始するときに、ＣＭ用メモリ１２に格納されたＵＲＬ情報を確認すると共に、ＵＲＬ情報に基づいて通信部１３がＣＭ情報サーバ５にアクセスしここからＣＭ情報を取得するように通信部１３を制御する部分である。また、操作部１９には再生の一時停止およびその一時停止の解除を指示するための一時停止ボタンや、インターネット４への接続を操作するインターネットボタン等が配置されている。
【００３８】
情報再生部１５は、ＤＶＤ１０に記録されたコンテンツ本編を再生する際、圧縮された映像・音声情報に対し伸長処理等を施し、再生するようになっている。また、情報再生部１５は、操作部１９の一時停止ボタンにてコンテンツ本編の一時停止が操作されるときに、格納されたＣＭ情報をＣＭ用メモリ１２から呼び出して再生する部分でもある。
【００３９】
さらに、情報再生部１５は、コンテンツ本編の再生が終了した時点で、ＣＭ用メモリ１２に格納されたＣＭ情報のうち、未再生の残存ＣＭ情報がある場合に、これを再生するように構成されている。なお、情報再生部１５において再生されるＣＭ情報には映像・音声情報はもとより、ＣＭ対象となる商品やサービスの詳細な情報等が含まれている。
【００４０】
〔１−３．ＣＭ情報サーバ５の構成〕
ＣＭ情報サーバ５は、ポイントデータベース６と、ＣＭ情報データベース８を有している。ポイントデータベース６は、ＤＶＤプレーヤ１側から送られてきたＣＭ情報の視聴ポイントを受け取り、ユーザごとにポイントを蓄積する部分である。ＣＭ情報データベース８はＣＭ情報が格納される部分である。
【００４１】
〔２．作用〕
次に、本実施形態の作用について述べる。図２は本実施形態にてＣＭ情報を再生する時のフローチャート、図３は本実施形態にてＣＭ情報の視聴ポイントを蓄える時のフローチャートである。
【００４２】
〔２−１．ＣＭ情報の再生〕…図２参照
図２を用いてＣＭ情報の再生について説明する。まず前提として、ＣＭ情報の提供元はＣＭ情報サーバ５のＣＭ情報データベース８にその時点で宣伝したい広告情報を格納しておき、ＣＭ情報サーバ５は、ＤＶＤプレーヤ１側からアクセスされてダウンロード操作が行われることにより、ＣＭ情報を配信できる状態にある（ＳＴ１０）。このような状態で、ユーザがＤＶＤプレーヤ１のＤＶＤ駆動部９にＤＶＤ１０を装着すると、情報再生部１５は、ＤＶＤ１０に記録されたコンテンツ本編の再生を開始して（ＳＴ１１）、テレビモニタ１１は再生された映像情報を表示し、音声情報を出力する（ＳＴ１２）。
【００４３】
情報再生部１５によるコンテンツ本編の再生中、ＣＭ情報取得部１４は、ＣＭ用メモリ１２に格納されたＵＲＬ情報を確認し（ＳＴ１３）、このＵＲＬ情報に基づいて通信部１３がＣＭ情報サーバ５にアクセスし、ここからＣＭ情報をダウンロードして取得する（ＳＴ１４）。取得したＣＭ情報をＣＭ用メモリ１２が格納する（ＳＴ１５）。
【００４４】
次に、ユーザが操作部１９の一時停止ボタンを操作してコンテンツ本編の再生を一時停止すると（ＳＴ１６のＹｅｓ）、コンテンツ本編の再生に代わって、情報再生部１５はＣＭ情報をＣＭ用メモリ１２から呼び出して再生し（ＳＴ１７）、テレビモニタ１１はＣＭ情報を出力する（ＳＴ１８）。また、ユーザが操作部１９の一時停止ボタンを再度操作してコンテンツ本編再生の一時停止を解除した場合には（ＳＴ１９のＹｅｓ）、ＣＭ情報の再生は停止し、コンテンツ本編の再生を再開する（ＳＴ２０）。
【００４５】
なお、ユーザが操作部１９の一時停止ボタンを再度操作しない限りは（ＳＴ１９のＮｏ）、ＳＴ１７に戻り、ＣＭ情報の再生を繰り返す。続いて、コンテンツ本編の再生再開後、情報再生部１５によるコンテンツ本編の再生が終了すると（ＳＴ２１のＹｅｓ）、ＣＭ用メモリ１２に格納されたＣＭ情報のうち、未再生の残存ＣＭ情報が残っていれば、情報再生部１５はＣＭ用メモリ１２から呼び出してこれを再生し（ＳＴ２２）、テレビモニタ１１はＣＭ情報を出力する（ＳＴ２３）。
【００４６】
〔２−２．ＣＭ再生による視聴ポイントの蓄積〕…図３参照
ＣＭ情報再生検知部１６が情報再生部１５にてＣＭ情報が再生されたことを検知すると（ＳＴ３１）、視聴ポイント計上部１７はＣＭ情報の再生による視聴ポイントを計上し（ＳＴ３２）、これを通信部１３がＣＭ情報サーバ５のポイントデータベース６へと通知する（ＳＴ３３）。ポイントデータベース６ではユーザごとにポイントを蓄積していく（ＳＴ３４）。
【００４７】
〔３．効果〕
以上のような本実施形態によれば、ＤＶＤプレーヤ１がＤＶＤ１０のコンテンツ本編を再生するときに、ＤＶＤ１０に記録されたＵＲＬ情報に基づいてＣＭ情報サーバ５に自動的にアクセスし、広告情報取得部１４がＣＭ情報を取得して、ＣＭ用メモリ１２がこれを格納しておく。そして、ユーザの都合でＤＶＤ１０のコンテンツ本編の再生を一時停止する場合に、一時停止ボタンの操作によってコンテンツ本編の映像・音声情報を停止させると、情報再生部１５は、コンテンツ本編の再生停止と同時に、ＣＭ用メモリ１２に格納されたＣＭ情報を再生する。
【００４８】
この時、ＤＶＤ１０のＣＭ用メモリ１２に格納されたＣＭ情報は、ＤＶＤ１０出荷時に固定化されたものではなく、ＤＶＤ１０の再生開始時点でＣＭ情報サーバ５からダウンロードされたものである。つまり、ＣＭ情報の提供元が、ＣＭ情報サーバ５にて配信するＣＭ情報を更新している限り、ＤＶＤプレーヤ１側は、更新済みの新しいＣＭ情報を取得することができる。
【００４９】
ＣＭ情報の更新が頻繁であれば、ＣＭ用メモリ１２に格納されるＣＭ情報は、ＤＶＤ１０を繰り返し視聴する場合でも、視聴のたびに新しいものとすることも不可能ではない。したがって、常に新鮮なＣＭ情報をＤＶＤ１０へと取得でき、コンテンツ本編の再生中断時に新たなＣＭ情報を再生できる。これにより、ユーザが関心・興味を示すＣＭ情報を継続的に提供することができ、本実施形態は優れた宣伝効果を期待できる。
【００５０】
なお、本実施形態では、ＤＶＤ１０に記録されたＵＲＬ情報に基づきＣＭ情報サーバ５に自動的にアクセスしているが、記録されるＵＲＬ情報の数は適宜変更可能である。例えば、ＵＲＬ情報が複数記録されている場合に、全てのＵＲＬ情報に対応するサーバにアクセスするのではなく、表示した複数のＵＲＬ情報の中からユーザがマウスのクリック操作などによりユーザが希望するＵＲＬ情報を選び、選択したＵＲＬ情報に対応したサーバにだけアクセスするようにしても良い。
【００５１】
また、本実施形態においては、ＤＶＤ１０に記録されるアドレス情報として、ＣＭ情報配信元の識別情報であるＵＲＬ情報をＤＶＤ１０に記録しただけなので、ＤＶＤ１０製造時にデータ量の多いＣＭ情報を記録するといった面倒がなくなり、製造コストの低減化を図ることが可能となる。
【００５２】
さらに、本実施形態では、ＤＶＤ１０に記録されたコンテンツ本編の再生を中断する場合に、ユーザが関心を持つような新規なＣＭ情報を視聴できるようにしているので、コンテンツ本編の再生再開までの中断時間が多少長引いたとしても、ＣＭ情報を視聴することで、再生再開を待つ間の退屈さを紛らわせることができる。
【００５３】
しかも、本実施形態においては、情報再生部１５によるコンテンツ本編の再生中に、ＣＭ情報取得部１４によってＣＭ情報を取得しておくため、ＣＭ情報の再生前に、完全な状態でＣＭ情報を確実にＣＭ用メモリ１２へと格納しておくことができる。したがって、ＣＭ情報の再生が途中で切れる心配がなく、スムーズな視聴が可能である。
【００５４】
また、本実施形態では、コンテンツ本編の再生終了後、未再生の残存ＣＭ情報がＣＭ用メモリ１２に格納されているならば、情報再生部１５はこれを再生するようになっている。したがって、ＣＭ用メモリ１２に格納されたＣＭ情報は全て再生されることになり、優れた宣伝効果を持つＣＭ情報を確実に視聴可能である。
【００５５】
さらに、本実施形態によれば、ＣＭ情報再生検知部１６にてＣＭ情報の視聴状況を検知し、その度合いに応じて視聴ポイント計上部１７がＣＭ情報の視聴ポイントを計上して、通知手段である通信部１３によって視聴ポイントをＣＭ情報サーバ５のポイントデータベース６に通知している。したがって、ＣＭ情報サーバ５を管理するＣＭ情報の提供元からすれば、ＣＭ情報が実際にどの程度ユーザに視聴されているかを正確につかむことができる。これにより、ＣＭ情報の視聴状況から実質的な宣伝効果を認識できる。
【００５６】
また、ＣＭ情報の提供元が前記視聴ポイントに応じて何らかのメリットを提供していれば、ユーザ側はそのメリットを享受することができる。さらに、このようなメリットはＣＭ情報を視聴させる動機となり得るので、ＣＭ情報の視聴効率を一段と高めることが可能である。なお、視聴ポイントの通知先は、広告情報提供元の管理下にあるのであれば、ＣＭ情報サーバ５に限らず、別に設けたＷｅｂサイトであってもかまわない。また、ＣＭ情報の視聴状況を把握できれば上記の作用効果は得られるので、ＣＭ情報の再生をカウントするのではなく、ＣＭ情報の取得回数を数えるようにしても良い。
【００５７】
〔４．他の実施形態〕
なお、上記実施形態でも構成が変更可能な部分に関しても言及したが、本発明は、上述した実施形態以外にも、例えば、図４に示すように、記録型のＤＶＤ１０に映像・音声情報を書き込み可能なＤＶＤレコーダ７に適用可能である（請求項７の発明に対応）。
【００５８】
この実施形態では、ＤＶＤレコーダ７が放送網２を介して放送局３に接続されている。ＤＶＤレコーダ７は、ＤＶＤプレーヤ１の構成に加えて、前記放送局３から配信されるＣＭを含む放送情報及びＣＭスポンサーのＵＲＬ情報を受信する受信部２０と、放送情報及びＵＲＬ情報をＤＶＤ１０に書き込むための書き込み制御部２１が設けられている。なお、書き込み制御部２１にてＤＶＤ１０に書き込まれたＵＲＬ情報についても、上記実施形態と同じく、ＣＭ用メモリ１２に格納される。
【００５９】
この実施形態では、図５のフローチャートに示すように、受信部２０にて放送局３から放送情報を受信し（ＳＴ４１）、ＣＭ及びＵＲＬ情報を確認してから（ＳＴ４２、ＳＴ４３）、書き込み制御部２１により本編である放送情報をＤＶＤ１０へ書き込み始める（ＳＴ４４）。そして、ＤＶＤ１０への放送情報の書き込み終了後（ＳＴ４５）、書き込み制御部２１にてＵＲＬ情報をＤＶＤ１０に書き込むようになっている（ＳＴ４６）。
【００６０】
以上のような実施形態によれば、ＵＲＬ情報に基づいてＣＭ情報サーバ５から最新のＣＭ情報を取得することが可能である。つまり、このときのＣＭ情報は、放送情報に含まれていたものではなく、放送情報の取得よりも時間的に新しい最新のものとなる。このため、前記実施形態と同様、宣伝効果の高い広告情報を視聴することが可能である。
【００６１】
また、映像・音声情報を書き込む記録媒体としては、ＤＶＤに限らず、ＶＨＳやハードディスクであっても構わない。これらの記録媒体に映像・音声情報を書き込むことが可能な再生装置の場合、記録媒体への映像・音声情報の書き込み中の時間を利用して、広告情報を再生したり（請求項４の発明に対応）、広告情報を取得したり（請求項６の発明に対応）することも可能である。
【００６２】
前者の実施形態によれば、たとえ映像・音声情報の書き込み時間が長くても、広告情報を視聴することでユーザが手持ち無沙汰になることがないという効果がある。また、後者の実施形態では、広告情報を再生する前に、ゆとりを持って広告情報を取得しておくことが可能なので、スムーズに広告情報を視聴することができる。
【図面の簡単な説明】
【００６３】
【図１】本発明に係る実施の形態における機能ブロック図。
【図２】本実施形態におけるＣＭ情報再生時のフローチャート。
【図３】本実施形態における視聴ポイント蓄積時のフローチャート。
【図４】本発明に係る他の実施の形態における機能ブロック図。
【図５】他の実施形態における放送情報及びＵＲＬ情報書き込み時のフローチャート。
【符号の説明】
【００６４】
１…ＤＶＤプレーヤ
２…放送網
３…放送局
４…インターネット
５…ＣＭ情報サーバ
６…ポイントデータベース
７…ＤＶＤレコーダ
８…ＣＭ情報データベース
９…ＤＶＤ駆動部
１０…ＤＶＤ
１１…テレビモニタ
１２…ＣＭ用メモリ
１３…通信部
１４…ＣＭ情報取得部
１５…情報再生部
１６…ＣＭ情報再生検知部
１７…視聴ポイント計上部
１８…表示部
１９…操作部
２１…受信部
２２…書き込み制御部
【図１】
2007035101.tif 000003
【図２】
2007035101.tif 000004
【図３】
2007035101.tif 000005
【図４】
2007035101.tif 000006
【図５】
2007035101.tif 000007